(57)【要約】【課題】ＲＦＩＤタグの読み取りを効率的に行うことが可能な読取装置及びプログラムを提供する。【解決手段】商品に付されたＲＦＩＤタグから情報を読み取る読取装置であって、商品の出入口となる開口部を有するとともに、その内部に前記商品を収容するための空間を有する筐体と、前記空間内に設けられたアンテナと、前記開口部を開閉するための開閉フタと、前記開閉フタの開閉状態を取得する取得手段と、前記取得手段が取得した開閉状態が前記開閉フタの閉状態を示す場合に、前記アンテナを介して、前記筐体内に収容された前記商品各々のＲＦＩＤタグから当該商品に関する情報を読み取る読取処理を実行する読取手段と、前記読取手段が読み取った情報を出力する出力手段と、を備える。【選択図】図２
2015207113.tif 000002
【特許請求の範囲】
【請求項１】
商品に付されたＲＦＩＤタグから情報を読み取る読取装置であって、
商品の出入口となる開口部を有するとともに、その内部に前記商品を収容するための空間を有する筐体と、
前記空間内に設けられたアンテナと、
前記開口部を開閉するための開閉フタと、
前記開閉フタの開閉状態を取得する取得手段と、
前記取得手段が取得した開閉状態が前記開閉フタの閉状態を示す場合に、前記アンテナを介して、前記筐体内に収容された前記商品各々のＲＦＩＤタグから当該商品に関する情報を読み取る読取処理を実行する読取手段と、
前記読取手段が読み取った情報を出力する出力手段と、
を備える読取装置。
【請求項２】
前記読取手段は、前記読取処理の途中で前記開閉フタが開状態となった場合、当該読取処理を停止する請求項１に記載の読取装置。
【請求項３】
前記読取手段は、前記読取処理の途中で前記開閉フタが開状態となった場合、それまでに読み取った前記情報をリセットする請求項２に記載の読取装置。
【請求項４】
前記開閉フタを閉状態にロックするロック機構を更に備え、
前記読取手段は、前記読取処理の間、前記ロック機構を制御することで前記開閉フタをロックする請求項１に記載の読取装置。
【請求項５】
前記読取手段は、前記読取処理を開始してから所定時間の間に前記情報を読み取ることができない場合、当該読取処理を停止する請求項１〜４の何れか一項に記載の読取装置。
【請求項６】
商品の出入口となる開口部を有するとともに、その内部に前記商品を収容するための空間を有する筐体と、前記空間内に設けられたアンテナと、前記開口部を開閉するための開閉フタと、を備える読取装置のコンピュータを、
前記開閉フタの開閉状態を取得する取得手段と、
前記取得手段が取得した開閉状態が前記開閉フタの閉状態を示す場合に、前記アンテナを介して、前記筐体内に収容された前記商品各々のＲＦＩＤタグから当該商品に関する情報を読み取る読取処理を実行する読取手段と、
前記読取手段が読み取った情報を出力する出力手段と、
して機能させるためのプログラム。
【発明の詳細な説明】
【技術分野】
【０００１】
本発明の実施形態は、読取装置及びプログラムに関する。
【背景技術】
【０００２】
従来、各商品に付されたＲＦＩＤタグ（ＲＦＩＤチップ）から商品情報を読み取り、当該商品情報に基づいて販売登録及び会計処理を行う商品販売データ処置装置が存在している。例えば、平板状アンテナを埋設したチェックアウトカウンタの上面に、商品或いは商品を収容した買物カゴを載置することで、商品情報を一括して読み取る読取装置が提案されている。
【０００３】
また、近年では、商品の販売登録及び会計処理を、客自身が行うための商品販売データ処理装置（セルフチェックアウト装置、セルフＰＯＳ（Point  Of  Sales）装置、セルフレジ装置ともいう）が登場している。一般的に、このようなセルフチェックアウト装置では、客が商品に付されたコードシンボルをスキャナでスキャンして商品の販売登録を行う。
【０００４】
ところで、ＲＦＩＤタグの読取装置を、セルフチェックアウト装置に適用した場合、客自身がＲＦＩＤタグの読み取りを行うことになる。しかしながら、従来の読取装置の構成では、チェックアウトカウンタの上面に買物カゴを載置した時点で読み取りが開始されるが、客自身の明示的な操作を伴わないため、開始のタイミングが分かりにくいという問題がある。また、平板状アンテナがＲＦＩＤタグの読み取りを行う空間と、客等が存在する空間とが連続しているため、読み取りの途中で買物カゴから商品が抜き取られたり、買物カゴに商品が追加される等の操作が行われる可能性がある。このような操作が行われた場合、読取装置は買物カゴの中の商品を正確に読み取ることができないこともあるため、効率的な処理の妨げになるという問題がある。
【発明の概要】
【発明が解決しようとする課題】
【０００５】
本発明が解決しようとする課題は、ＲＦＩＤタグの読み取りを効率的に行うことが可能な読取装置及びプログラムを提供することである。
【課題を解決するための手段】
【０００６】
実施形態の読取装置は、商品に付されたＲＦＩＤタグから情報を読み取る読取装置であって、商品の出入口となる開口部を有するとともに、その内部に前記商品を収容するための空間を有する筐体と、前記空間内に設けられたアンテナと、前記開口部を開閉するための開閉フタと、前記開閉フタの開閉状態を取得する取得手段と、前記取得手段が取得した開閉状態が前記開閉フタの閉状態を示す場合に、前記アンテナを介して、前記筐体内に収容された前記商品各々のＲＦＩＤタグから当該商品に関する情報を読み取る読取処理を実行する読取手段と、前記読取手段が読み取った情報を出力する出力手段と、を備える。
【図面の簡単な説明】
【０００７】
【図１】図１は、実施形態にかかるセルフチェックアウト装置の構成を示す外観斜視図である。
【図２】図２は、実施形態に係る読取装置の概略構成を示す外観斜視図である。
【図３】図３は、読取装置の概略断面図である。
【図４】図４は、セルフチェックアウト装置及び読取装置のハードウェア構成を示すブロック図である。
【図５】図５は、セルフチェックアウト装置及び読取装置の機能的構成を示すブロック図である。
【図６】図６は、セルフチェックアウト装置及び読取装置の動作例を説明するためのフローチャートである。
【図７】図７は、変形例１に係る読取装置の概略構成を示す外観斜視図である。
【図８】図８は、変形例２に係る読取装置の概略構成を示す外観斜視図である。
【図９】図９は、変形例３に係る読取装置の概略構成を示す外観斜視図である。
【発明を実施するための形態】
【０００８】
図１は、本実施形態にかかるセルフチェックアウト装置１の構成を示す外観斜視図である。セルフチェックアウト装置１は、商品の販売登録及び会計処理を、客自身が行うための商品販売データ処理装置である。セルフチェックアウト装置１は、例えばスーパーマーケットや衣料販売店等の店舗に設置されて用いられる。セルフチェックアウト装置１の本体２は、タッチパネル３ａが表面に配設されたディスプレイ３ｂを備えている。ディスプレイ３ｂとしては例えば液晶表示器が用いられる。
【０００９】
また、セルフチェックアウト装置１の本体２には、精算時に客のポイントカードやクレジットカードを挿入するためのカード挿入口４や、レシートを発行するレシート発行口５が設けられる。また、本体２には、精算用の紙幣の入金や釣り紙幣の受け取りを行うための紙幣入出金口６、精算時に硬貨を投入するための硬貨投入口７、釣り硬貨を受け取るための硬貨取出口８等が設けられる。
【００１０】
本体２の右側には、商品Ｇに付されたＲＦＩＤ（Radio  Frequency  IDentifier）タグＴ（図３参照）を読み取るための読取装置１０が備えられる。読取装置１０は、図示しないケーブル等によりセルフチェックアウト装置１に接続され、商品Ｇに付されているＲＦＩＤタグＴから読み取った各種の情報を、セルフチェックアウト装置１に出力（送信）する。ここで、各商品Ｇには当該商品Ｇを識別するための商品コード等を記録したＲＦＩＤタグＴが付されているものとする。また、ＲＦＩＤタグＴには、後述する登録済フラグを書き込むための記憶領域が用意されているものとする。この登録済フラグの書き込みは、商品Ｇが未決済のまま店舗から持ち出されることを防止するためのものである。登録済みフラグの有無は、例えば、店舗の出入り口に設置されたゲートでチェックされ、登録済みフラグがないものはブザー等の報知手段により警告が行われる。
【００１１】
以下、読取装置１０について説明する。図２は、読取装置１０の概略構成を示す外観斜視図である。図２（ａ）は、読取装置１０の開閉フタ１２を開けた開状態を示し、図２（ｂ）は、読取装置１０の開閉フタ１２を閉じた閉状態を示している。また、図３は、読取装置１０の概略断面図であり、開閉フタ１２の閉状態を示している。
【００１２】
読取装置１０は、読取装置１０の主たる外装を構成する筐体１１と、筐体１１に設けられた買物カゴＣ（商品Ｇ）の出入り口となる開口部Ｈを開閉するための開閉フタ１２とを有する。筐体１１の外形は、略箱型の形状を備え、横幅寸法よりも奥行寸法が大きい、奥行方向に長いプロポーションとなっている。ここで、開口部Ｈは、商品Ｇを収容するための買物カゴＣが通過することが可能な大きさを有する。また、筐体１１は、その内部に買物カゴＣを収納可能な大きさの読取室１３を有する。
【００１３】
筐体１１及び開閉フタ１２は、外部の電波が読取室１３内に届くことを防ぐため、電波を反射する部材（電波反射材）又は電波を吸収する部材（電波吸収材）で形成される。係る部材としては、金属やモールド材、フェライト等の公知・公用の電波反射材又は電波吸収材を用いることが可能である。また、例えば、筐体１１及び開閉フタ１２の外壁（外面）や、読取室１３を形成する筐体１１及び開閉フタ１２の内壁（内面）を、電波反射材又は電波吸収材で覆う構成としてもよい。
【００１４】
開閉フタ１２は、筐体１１の背面部に設けたヒンジ機構１１１を中心に矢印Ｘ１方向に引き上げることで開状態とすることができる（図２（ａ））。また、開閉フタ１２は、ヒンジ機構１１１を中心に矢印Ｘ２方向に引き下げることで閉状態とすることができる（図２（ｂ））。客は、開閉フタ１２を開状態とすることで、筐体１１の開口部Ｈを介して、当該筐体１１の読取室１３内に、商品Ｇを入れた買物カゴＣを出し入れすることができる。なお、開閉フタ１２の開閉速度の緩和や開状態を保持するために、筐体１１と開閉フタ１２との間にダンパ１１２を設けてもよい（図２（ａ）参照）。
【００１５】
読取室１３内において、買物カゴＣは、載置台１４の上に載置される。載置台１４は、木製やガラス等の絶縁性（電波透過性）の板状部材で構成され、筐体１１と所定の間隙を有して支持されている。また、載置台１４での買物カゴＣの載置面に対向する面（以下、底面という）側には、面状のＲＦＩＤアンテナ１５が設けられる。ＲＦＩＤアンテナ１５は、ＵＨＦ帯等の電波を出射することで、読取室１３内に存在するＲＦＩＤタグＴ、つまり買物カゴＣに収められた各商品ＧのＲＦＩＤタグＴと交信を行う（図３参照）。なお、ＲＦＩＤアンテナ１５の個数は、一に限らず、複数個設ける形態としてもよい。また、ＲＦＩＤアンテナ１５の設置方法は、上記例に限らず、例えば載置台１４とは別体として設けてもよい。また、ＲＦＩＤアンテナ１５の設置位置は、読取室１３や載置台１４での底面側に限らず、読取室１３の側面等、他の面に設ける形態としてもよい。
【００１６】
このような構造を備える読取装置１０によれば、読取室１３に買物カゴＣを収容することで、買物カゴＣの中の商品Ｇ（ＲＦＩＤタグＴ）を一括で読み取ることができる。また、ＲＦＩＤアンテナ１５が読み取りを行う読取室１３を、客等が存在する空間から隔離することで、読み取りの最中に商品Ｇが抜き取られたり、商品Ｇが追加される等の不正な操作が行われることを抑制することができる。また、読取装置１０（筐体１１及び開閉フタ１２）の外面を電波反射材や電波吸収材で覆うことで、読取室１３を外部の電波（ノイズ）から遮蔽することができるため、誤動作等の発生を防ぐことができる。このように、読取装置１０を用いることで、自装置周辺の環境が読み取り動作に及ぼす影響を低減することができるため、ＲＦＩＤタグＴの読み取りを効率的に行うことができる。
【００１７】
次に、セルフチェックアウト装置１及び読取装置１０のハードウェア構成について説明する。図４は、セルフチェックアウト装置１及び読取装置１０のハードウェア構成を示すブロック図である。
【００１８】
セルフチェックアウト装置１は、ＣＰＵ（Central  Processing  Unit）、ＲＯＭ（Read  Only  Memory）及びＲＡＭ（Random  Access  Memory）等から構成されるコンピュータ構成の制御部２０を備える。ＲＯＭは、ＣＰＵが実行する各種プログラムや各種データを記憶する。ＲＡＭは、ＣＰＵが各種プログラムを実行する際に一時的にデータやプログラムを記憶するものである。
【００１９】
制御部２０には、各種の入出力回路（図示せず）を介して、タッチパネル３ａ、ディスプレイ３ｂ、カードリーダ２１、レシートプリンタ２２、紙幣入出金ユニット２３、硬貨投入ユニット２４及び硬貨排出ユニット２５が接続される。
【００２０】
カードリーダ２１は、カード挿入口４から挿入された客のポイントカードやクレジットカードの情報を読み込むものである。レシートプリンタ２２は、会計処理後にレシートを印刷して、これをレシート発行口５から発行するものである。紙幣入出金ユニット２３は、紙幣入出金口６から入金または出金される紙幣を処理するものである。また、硬貨投入ユニット２４は硬貨投入口７から投入される硬貨を、硬貨排出ユニット２５は硬貨取出口８に排出される硬貨を処理するものである。
【００２１】
また、制御部２０には、各種の入出力回路（図示せず）を介して、記憶部２６及び通信Ｉ／Ｆ２７等が接続される。
【００２２】
記憶部２６は、ＨＤＤ（Hard  Disk  Drive）やＳＳＤ（Solid  State  Drive）等の不揮発性の記憶媒体を備えた記憶装置である。記憶部２６は、セルフチェックアウト装置１の動作に係る各種プログラムや各種データを記憶する。記憶部２６が記憶するデータとしては、例えば、各商品Ｇに関する商品情報を、当該商品Ｇを識別する商品コードと対応付けて登録した商品マスタ等が挙げられる。係る商品情報は、例えば、対応する商品Ｇの商品名及び価格等を含む。通信Ｉ／Ｆ２７は、読取装置１０との間で各種データの送受信を行うためのインタフェースである。
【００２３】
一方、読取装置１０は、ＣＰＵ、ＲＯＭ及びＲＡＭ等から構成されるコンピュータ構成の制御部３０を備える。ＲＯＭは、ＣＰＵが実行する各種プログラムや各種データを記憶する。ＲＡＭは、ＣＰＵが各種プログラムを実行する際に一時的にデータやプログラムを記憶するものである。
【００２４】
また、制御部３０には、各種の入出力回路（図示せず）を介して、リーダライタ部３１、開閉センサ３２、記憶部３３及び通信Ｉ／Ｆ３４等が接続される。
【００２５】
リーダライタ部３１は、ＲＦＩＤアンテナ１５を用いることで、ＲＦＩＤタグＴの読み取り及び書き込みするための変調波（電波）を発信させる。リーダライタ部３１は、ＲＦＩＤアンテナ１５を介してＲＦＩＤタグＴから読み取った各種の情報（例えば商品情報等）を制御部３０に出力する。また、リーダライタ部３１は、書き込み対象の情報（例えばフラグ情報等）を、ＲＦＩＤアンテナ１５を介して出力することで、ＲＦＩＤタグＴに当該情報の書き込みを行う。
【００２６】
開閉センサ３２は、開閉フタ１２の開閉状態を検知するセンサ装置である。開閉センサ３２は、開閉フタ１２の開閉状態を示す開閉状態情報を制御部３０に出力する。開閉センサ３２は、例えば、筐体１１と開閉フタ１２との接触部分や開閉フタ１２のヒンジ機構１１１に設けたマイクロスイッチや磁気センサにより実現することができる。また、開閉フタ１２の閉状態において読取室１３が暗所となる場合、この読取室１３内に設けた光センサにより実現することができる。
【００２７】
記憶部３３は、ＨＤＤやＳＳＤ等の不揮発性の記憶媒体を備えた記憶装置である。記憶部３３は、読取装置１０の動作に係る各種プログラムや各種データを記憶する。通信Ｉ／Ｆ３４は、セルフチェックアウト装置１との間で各種データの送受信を行うためのインタフェースである。
【００２８】
次に、セルフチェックアウト装置１及び読取装置１０の機能的構成について説明する。図５は、セルフチェックアウト装置１及び読取装置１０の機能的構成を示すブロック図である。
【００２９】
セルフチェックアウト装置１の制御部２０（ＣＰＵ）は、記憶部２６に記憶されたプログラムと協働することで、表示制御部２０１と、入力受付部２０２と、通信制御部２０３と、販売登録部２０４とを機能部として実現する。
【００３０】
表示制御部２０１は、ディスプレイ３ｂを制御し、当該ディスプレイ３ｂに各種画面を表示させる。例えば、表示制御部２０１は、商品コード（ＲＦＩＤタグ）の読み取り開始を指示させるための操作子（以下、読取開始ボタンという）や、読み取り終了を指示させるための操作子（以下、読取終了ボタンという）を含んだ画面を表示させる。また、表示制御部２０１は、読取装置１０から送信される商品コードに基づき、当該商品コードに対応する商品情報を商品マスタから読み出し、その商品Ｇの商品名や価格、預かり金額や釣銭額等を表示させる。
【００３１】
入力受付部２０２は、タッチパネル３ａを介した操作入力を受け付ける。例えば、入力受付部２０２は、ディスプレイ３ｂに表示された操作画面において、操作子が操作（タッチ操作）された場合に、その操作子に対応する指示情報を制御部２０に出力する。
【００３２】
通信制御部２０３は、通信Ｉ／Ｆ２７を制御し、当該通信Ｉ／Ｆ２７を介して読取装置１０との間で各種の情報を送受信する。例えば、通信制御部２０３は、読取開始ボタンが操作されると、読取開始を指示する指示情報を読取装置１０に送信する。また、通信制御部２０３は、読取装置１０から送信された商品コードを受信する。また、通信制御部２０３は、読取終了ボタンが操作されると、読取終了を指示する指示情報を読取装置１０に送信する。また、通信制御部２０３は、販売登録部２０４による販売登録が完了すると、登録完了を指示する指示情報を読取装置１０に送信する。
【００３３】
販売登録部２０４は、読取装置１０から送信された商品コードに対応する各商品Ｇについて、決済処理により代金の支払いを確認すると、それらの商品コードを客が買い上げた商品Ｇとして販売登録を行う。具体的に販売登録部２０４は、各商品Ｇの商品コードを、預かり金額や釣り銭、取引日時とともに登録用のデータベースに登録する。なお、登録用のデータベースは、セルフチェックアウト装置１の記憶部２６が備える形態としてもよいし、セルフチェックアウト装置１と通信可能な外部装置が備える形態としてもよい。
【００３４】
一方、読取装置１０の制御部３０（ＣＰＵ）は、記憶部３３に記憶されたプログラムと協働することで、開閉状態取得部３０１と、リーダライタ制御部３０２と、通信制御部３０３とを機能部として実現する。
【００３５】
開閉状態取得部３０１は、開閉センサ３２と協働することで、開閉フタ１２が開いた状態にあるか閉じた状態にあるかを示す開閉状態情報を取得する。
【００３６】
リーダライタ制御部３０２は、リーダライタ部３１を制御することで、商品Ｇに付されたＲＦＩＤタグＴの読み取りと、当該ＲＦＩＤタグＴへの書き込みを行う。
【００３７】
具体的に、リーダライタ制御部３０２は、セルフチェックアウト装置１から読み取り開始が指示され、且つ開閉状態取得部３０１が取得した開閉状態情報が開閉フタ１２の閉状態を示す場合に、読み取りを開始する。これにより、読取装置１０では、客が開閉フタ１２を閉じるに伴い商品Ｇの読み取りを開始するため、客に対し読み取り開始のタイミングを認識させることができる。
【００３８】
また、リーダライタ制御部３０２は、セルフチェックアウト装置１から読み取り終了が指示されると、リーダライタ部３１による読み取りを終了する。そして、リーダライタ制御部３０２は、セルフチェックアウト装置１から登録完了が指示されると、リーダライタ部３１を制御し登録済フラグの書き込みを開始する。ここで、登録済フラグは、販売登録が完了したことを示す情報であって、ＲＦＩＤタグＴが有する所定の記憶領域に書き込まれるものとする。
【００３９】
さらに、リーダライタ制御部３０２は、ＲＦＩＤタグＴの読み取りを開始してから登録済フラグを書き込むまでの間に、開閉フタ１２が開状態となった場合、読み取りを終了し、それまでに読み込んだ商品コードをリセットするリセット処理を実行する。このリセット処理により、セルフチェックアウト装置１に送信された商品コードもリセットが行われるものとする。そして、リーダライタ制御部３０２は、開閉フタ１２が再び閉状態になったことを確認すると、ＲＦＩＤタグＴの読み取りを再度実行する。
【００４０】
これにより、決済処理の完了前に、ＲＦＩＤタグＴが読取済の商品Ｇが買物カゴＣ（読取室１３）から抜き取られた場合や、ＲＦＩＤタグＴが未読取の商品Ｇが買物カゴＣ内に追加された場合であっても、買物カゴＣの中の商品Ｇを確実に読み取ることができる。なお、開閉フタ１２が開状態となったことをセルフチェックアウト装置１に通知することで、セルフチェックアウト装置１のディスプレイ３ｂに、開閉フタ１２が開状態であることを報知する画面を表示させる形態としてもよい。
【００４１】
通信制御部３０３は、通信Ｉ／Ｆ３４を制御し、当該通信Ｉ／Ｆ３４を介してセルフチェックアウト装置１との間で各種の情報を送受信する。例えば、通信制御部３０３は、セルフチェックアウト装置１から送信された読取開始を指示する指示情報を受信する。また、通信制御部３０３は、リーダライタ制御部３０２がＲＦＩＤタグＴから読み取った商品コードを、セルフチェックアウト装置１に送信する。また、通信制御部３０３は、セルフチェックアウト装置１から送信された読取終了を指示する指示情報を受信する。また、通信制御部３０３は、セルフチェックアウト装置１から送信された登録完了を指示する指示情報を受信する。
【００４２】
次に、セルフチェックアウト装置１及び読取装置１０の動作について説明する。図６は、セルフチェックアウト装置１及び読取装置１０の動作例を説明するためのフローチャートである。
【００４３】
セルフチェックアウト装置１を操作する客は、読取装置１０の開閉フタ１２を開け、商品Ｇを入れた買物カゴＣを読取室１３内に収容する。次いで、客は、セルフチェックアウト装置１のディスプレイ３ｂに表示された読取開始ボタンを操作することで、本処理が開始される。
【００４４】
セルフチェックアウト装置１では、入力受付部２０２が読取開始ボタンの操作を受け付けると、通信制御部２０３は、読み取り開始を指示する指示情報を読取装置１０に送信する（ステップＳ１１）。
【００４５】
読取装置１０では、通信制御部３０３が読み取り開始を指示する指示情報を受信すると、リーダライタ制御部３０２は、開閉状態取得部３０１が取得した開閉状態情報に基づき、開閉フタ１２が閉状態にあるか否かを判定する（ステップＳ２１）。ここで、リーダライタ制御部３０２は、開閉フタ１２が開状態にあると判定すると、当該開閉フタ１２が閉状態となるまで待機する（ステップＳ２１；Ｎｏ）。なお、ステップＳ２１の待機時に、リーダライタ制御部３０２がセルフチェックアウト装置１の表示制御部２０１と協働することで、開閉フタ１２を閉じることを促す画面を表示させる形態としてもよい。
【００４６】
ステップＳ２１において、開閉フタ１２が閉状態にあると判定すると（ステップＳ２１；Ｙｅｓ）、リーダライタ制御部３０２は、ＲＦＩＤタグＴの読み取りを開始する（ステップＳ２２）。次いで、リーダライタ部３１は、ＲＦＩＤタグＴから商品コードを読み取ったか否かを判定する（ステップＳ２３）。ここで、商品コードが読み取れない場合（ステップＳ２３；Ｎｏ）、ステップＳ２５に移行する。
【００４７】
また、商品コードが読み取られた場合（ステップＳ２３；Ｙｅｓ）、通信制御部３０３は、その商品コードをセルフチェックアウト装置１に順次送信し（ステップＳ２４）、ステップＳ２５に移行する。
【００４８】
続くステップＳ２５において、リーダライタ制御部３０２は、開閉状態取得部３０１が取得する開閉状態情報に基づき、開閉フタ１２が閉状態にあるか否かを判定する（ステップＳ２５）。開状態にあると判定した場合（ステップＳ２５；Ｎｏ）、リーダライタ制御部３０２は、ＲＦＩＤタグＴの読み取りを停止する（ステップＳ２６）。そして、リーダライタ制御部３０２は、これまでに読み取った商品コードをリセットするリセット処理を行い（ステップＳ２７）、ステップＳ２１に再び戻る。
【００４９】
また、ステップＳ２５において、閉状態にあると判定した場合（ステップＳ２５；Ｙｅｓ）、リーダライタ制御部３０２は、セルフチェックアウト装置１から読み取りの終了が指示されたか否かを判定する（ステップＳ２８）。ここで、読み取り終了の指示がない場合には（ステップＳ２８；Ｎｏ）、ステップＳ２３に戻る。
【００５０】
なお、読取室１３が空の状態でＲＦＩＤタグＴの読み取りが開始されたような場合には、ＲＦＩＤタグＴが一つも読み取れないままステップＳ２３；Ｎｏ→Ｓ２５；Ｙｅｓ→Ｓ２８；Ｎｏのループが続くことになる。そこで、このような状態を回避するため、ＲＦＩＤタグＴが一つも読み取れないまま、所定時間（例えば５秒）が経過した場合や、上記のループを所定回数実行した場合には、ＲＦＩＤタグＴの読み取りを強制的に終了させる形態としてもよい。また、この場合、リーダライタ制御部３０２は、セルフチェックアウト装置１の表示制御部２０１と協働することで、ＲＦＩＤタグＴを読み取ることができない旨のメッセージを表示させることが好ましい。
【００５１】
セルフチェックアウト装置１では、通信制御部２０３が読取装置１０から商品コードを受信すると、表示制御部２０１は、その商品コードに対応する商品情報を商品マスタから読み出し、ディスプレイ３ｂに表示する（ステップＳ１２）。
【００５２】
客は、ディスプレイ３ｂに表示された商品情報を参照し、買物カゴＣに入れた全ての商品Ｇが表示されたことを確認すると、そのディスプレイ３ｂに表示された読取終了ボタンを操作する。そして、入力受付部２０２が読取終了ボタンの操作を受け付けると、通信制御部２０３は、読み取り終了を指示する指示情報を読取装置１０に送信する（ステップＳ１３）。
【００５３】
読取装置１０では、通信制御部３０３が読み取り終了を指示する指示情報を受信すると、リーダライタ制御部３０２は、読み取りの終了が指示されたと判定する（ステップＳ２８；Ｙｅｓ）。次いで、リーダライタ制御部３０２は、ＲＦＩＤタグＴの読み取りを停止する（ステップＳ２９）。
【００５４】
続いて、リーダライタ制御部３０２は、セルフチェックアウト装置１から登録完了が指示されたか否かを判定する（ステップＳ３０）。登録完了の指示がない場合（ステップＳ３０；Ｎｏ）、リーダライタ制御部３０２は、開閉状態取得部３０１が取得する開閉状態情報に基づき、開閉フタ１２が閉状態にあるか否かを判定する（ステップＳ３１）。
【００５５】
ここで、閉状態にあると判定した場合（ステップＳ３１；Ｙｅｓ）、ステップＳ３０に戻る。また、開状態にあると判定した場合（ステップＳ３１；Ｎｏ）、リーダライタ制御部３０２は、ステップＳ２７と同様のリセット処理を行い（ステップＳ３２）、ステップＳ２１に再び戻る。
【００５６】
セルフチェックアウト装置１では、販売登録部２０４が、登録候補として表示された各商品Ｇについて決済処理が完了すると（ステップＳ１４）、これら各商品Ｇの販売登録を行う。そして、通信制御部２０３は、登録完了を指示する指示情報を読取装置１０に送信し（ステップＳ１５）、処理を終了する。
【００５７】
読取装置１０では、通信制御部３０３が登録完了を指示する指示情報を受信すると、リーダライタ制御部３０２は、登録完了が指示されたと判定する（ステップＳ３０；Ｙｅｓ）。そして、リーダライタ制御部３０２は、リーダライタ部３１を制御することで、各商品ＧのＲＦＩＤタグＴに登録済フラグを書き込み（ステップＳ３３）、本処理を終了する。
【００５８】
なお、登録済フラグを書き込み中の間、リーダライタ制御部３０２がセルフチェックアウト装置１の表示制御部２０１と協働することで、開閉フタ１２を閉じたままでいることを伝える画面を表示させる形態としてもよい。また、登録済フラグの書き込みが終了した場合に、リーダライタ制御部３０２がセルフチェックアウト装置１の表示制御部２０１と協働することで、開閉フタ１２を開けることを促す画面を表示させる形態としてもよい。
【００５９】
以上のように、本実施形態の読取装置１０によれば、商品Ｇを入れた買物カゴＣを読取室１３に収容し、開閉フタ１２を閉状態とすることで、客等が存在する空間と切り離した状態で、各商品Ｇに付されたＲＦＩＤタグＴの読み取りを一括で行うことができる。これにより、自装置周辺の環境が自装置に及ぼす影響を低減化した状態で読み取り動作を行うことが可能となるため、ＲＦＩＤタグＴの読み取りを効率的に行うことができる。
【００６０】
また、本実施形態の読取装置１０によれば、開閉フタ１２が閉状態になるに伴い商品Ｇの読み取りを開始するため、客に対し読み取り開始のタイミングを認識させることができる。これにより、客が不用意に、商品Ｇを抜き取る等の不正な操作を行ってしまうことを抑制することができるため、ＲＦＩＤタグＴの読み取りを効率的に行うことができる。また、本実施形態の読取装置１０によれば、読み取りを開始してから登録済フラグを書き込むまでの間に、開閉フタ１２が開状態となった場合にはリセット処理を実行することで、読み取りをやり直す。これにより、決済処理の完了前に、商品Ｇが抜き取られた場合や、商品Ｇが追加された場合であっても、買物カゴＣの中の商品Ｇを確実に読み取ることができるため、ＲＦＩＤタグＴの読み取りを効率的に行うことができる。
【００６１】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６２】
例えば、上記実施形態では、客からの操作指示に応じてＲＦＩＤタグＴの読み取りを開始する形態としたが、これに限らないものとする。他の形態としては、例えば、客からの操作指示を要さずに、開閉フタ１２が閉状態に切り替わるのに連動してＲＦＩＤタグＴの読み取りを自動的に開始する形態としてもよい。
【００６３】
また、上記実施形態では、ＲＦＩＤタグＴの読み取りを開始してから登録済フラグを書き込むまでの間に、開閉フタ１２が開状態となった場合には、読み取りを終了してリセット処理を実行する形態としたが、これに限らないものとする。他の形態としては、例えば、読取装置１０の筐体１１と開閉フタ１２との接触部分に、開閉フタ１２の閉状態を保持（ロック）するためのロック機構を設け、開閉フタ１２が開けられないよう制御してもよい。具体的には、ＲＦＩＤタグＴの読み取りを開始してから登録済フラグを書き込むまでの間は、リーダライタ制御部３０２がロック機構を制御することで、開閉フタ１２が開けられないよう閉状態を保持する。これにより、決済処理の完了前に、ＲＦＩＤタグＴが読取済の商品Ｇが買物カゴＣ（読取室１３）から抜き取られることや、ＲＦＩＤタグＴが未読取の商品Ｇが買物カゴＣに追加されてしまうことを未然に防ぐことができる。
【００６４】
また、上記実施形態では、客からの終了指示に応じてＲＦＩＤタグＴの読み取りを終了する形態としたが、これに限らないものとする。他の形態としては、例えば、客から指示された個数（商品数）分のＲＦＩＤタグＴを読み取ると、その読み取りを自動的に終了する形態としてもよい。
【００６５】
また、上記実施形態の読取装置１０では、開閉フタ１２を上蓋式としたが、これに限らず、他の方式を採用してもよい。以下、変形例として他の方式を採用した読取装置１０について説明する。
【００６６】
［変形例１］
図７は、変形例１に係る読取装置１０ａの概略構成を示す外観斜視図である。図７（ａ）は、読取装置１０ａの開閉フタ１２ａを開けた開状態を示し、図７（ｂ）は、読取装置１０ａの開閉フタ１２ａを閉じた閉状態を示している。
【００６７】
開閉フタ１２ａは、略箱型の筐体１１ａに設けられた開口部Ｈを覆うよう設けられている。開閉フタ１２ａは、複数のスラットが連結されたシャッターであり、開口部Ｈの両縁壁に沿って摺動自在に支持される。図７の例では、開閉フタ１２ａを矢印Ｘ３方向に引き下げることで開状態とすることができる（図７（ａ））。また、開閉フタ１２ａを矢印Ｘ４方向に引き上げることで閉状態とすることができる（図７（ｂ））。
【００６８】
ここで、筐体１１ａ及び開閉フタ１２ａは、外部の電波が読取室１３内に届くことを防ぐため、電波反射材又は電波吸収材で形成される。例えば、筐体１１ａ及び開閉フタ１２ａの外壁（外面）や、読取室１３を囲む筐体１１ａ及び開閉フタ１２ａの内壁（内面）を、電波反射材又は電波吸収材で覆う構成としてもよい。
【００６９】
これにより、上記実施形態と同様、自装置周辺の環境が読み取り動作に及ぼす影響を低減することができるため、ＲＦＩＤタグＴの読み取りを効率的に行うことができる。なお、開閉フタ１２ａの開閉方向や形状は、図７の例に限らないものとする。
【００７０】
［変形例２］
図８は、変形例２に係る読取装置１０ｂの概略構成を示す外観斜視図である。図８（ａ）は、読取装置１０ｂの開閉フタ１２ｂを開けた開状態を示し、図８（ｂ）は、読取装置１０ｂの開閉フタ１２ｂを閉じた閉状態を示している。
【００７１】
開閉フタ１２ｂは、略箱型の筐体１１ｂに設けられた開口部Ｈを覆うよう設けられている。開閉フタ１２ｂは、蛇腹状に折り畳み可能な折り畳み式の開閉フタであり、開口部Ｈの両縁壁に沿って摺動自在に支持される。図８の例では、開閉フタ１２ｂを矢印Ｘ５方向に引き上げることで開状態とすることができる（図８（ａ））。また、開閉フタ１２ｂを矢印Ｘ６方向に引き下げることで閉状態とすることができる（図８（ｂ））。
【００７２】
ここで、筐体１１ｂ及び開閉フタ１２ｂは、外部の電波が読取室１３内に届くことを防ぐため、電波反射材又は電波吸収材で形成される。例えば、筐体１１ｂ及び開閉フタ１２ｂの外壁（外面）や、読取室１３を形成する筐体１１ｂ及び開閉フタ１２ｂの内壁（内面）を、電波反射材又は電波吸収材で覆う構成としてもよい。
【００７３】
これにより、上記実施形態と同様、自装置周辺の環境が読み取り動作に及ぼす影響を低減することができるため、ＲＦＩＤタグＴの読み取りを効率的に行うことができる。なお、開閉フタ１２ｂの開閉方向や形状は、図８の例に限らないものとする。
【００７４】
［変形例３］
図９は、変形例３に係る読取装置１０ｃの概略構成を示す外観斜視図である。図９（ａ）は、読取装置１０ｃの開閉フタ１２ｃを開けた開状態を示し、図９（ｂ）は、読取装置１０ｃの開閉フタ１２ｃを閉じた閉状態を示している。
【００７５】
開閉フタ１２ｃは、円柱状の筐体１１ｃに設けられた開口部Ｈを覆うよう設けられている。ここで、開閉フタ１２ｃは、軸ＡＸを中心に矢印Ｘ７方向に回転可能に構成された略円柱状の構造体であり、その側面に筐体１１ｃの開口部Ｈに対応する大きさの開口部Ｈ１が設けられている。図９の例では、矢印Ｘ７方向への回転により、筐体１１ｃの開口部Ｈと開閉フタ１２ｃの開口部Ｈ１とが重なる場合に開状態とすることができる（図９（ａ））。また、筐体１１ｃの開口部Ｈと開閉フタ１２ｃの開口部Ｈ１とが重ならない場合に閉状態とすることができる（図９（ｂ））。なお、開閉フタ１２ｃの底面と、上述した載置台１４とを一体化することで、開閉フタ１２ｃの回転に伴い買物カゴＣを回転させる形態としてもよい。
【００７６】
ここで、開閉フタ１２ｃの回転は手動で行う形態としてもよいし、読み取り開始の指示等に応じて自動で行う形態としてもよい。自動で行う場合には、リーダライタ制御部３０２は、開閉フタ１２ｃが閉状態のときにＲＦＩＤタグＴの読み取りを行うよう制御するものとする。また、開閉フタ１２ｃが所定回数（例えば１周）回転すると、ＲＦＩＤタグＴの読み取りを終了するよう制御してもよい。
【００７７】
ここで、筐体１１ｃ及び開閉フタ１２ｃは、外部の電波が読取室１３内に届くことを防ぐため、電波反射材又は電波吸収材で形成される。例えば、筐体１１ｃ及び開閉フタ１２ｃの外壁（外面）や、読取室１３を囲む筐体１１ｃ及び開閉フタ１２ｃの内壁（内面）を、電波反射材又は電波吸収材で覆う構成としてもよい。
【００７８】
これにより、上記実施形態と同様、自装置周辺の環境が読み取り動作に及ぼす影響を低減することができるため、ＲＦＩＤタグＴの読み取りを効率的に行うことができる。
【００７９】
また、開閉フタ１２の方式は、上記した変形例１〜３以外にも、例えば、引出式で開閉する形態としてもよいし、観音開き等の扉方式としてもよい。なお、何れの方式においても、筐体１１及び開閉フタ１２は、電波反射材又は電波吸収材で形成されるものとする。
【００８０】
上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００８１】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００８２】
１  セルフチェックアウト装置
１０、１０ａ、１０ｂ、１０ｃ  読取装置
１１、１１ａ、１１ｂ、１１ｃ  筐体
１２、１２ａ、１２ｂ、１２ｃ  開閉フタ
１３  読取室
１４  載置台
１５  ＲＦＩＤアンテナ
１１１  ヒンジ機構
１１２  ダンパ
２０１  表示制御部
２０２  入力受付部
２０３  通信制御部
２０４  販売登録部
３０１  開閉状態取得部
３０２  リーダライタ制御部
３０３  通信制御部
Ｃ  買物カゴ
Ｇ  商品
Ｈ、Ｈ１  開口部
Ｔ  ＲＦＩＤタグ
【先行技術文献】
【特許文献】
【００８３】
【特許文献１】特開２００７−２６４９１８号公報
【図１】
2015207113.tif 000003
【図２】
2015207113.tif 000004
【図３】
2015207113.tif 000005
【図４】
2015207113.tif 000006
【図５】
2015207113.tif 000007
【図６】
2015207113.tif 000008
【図７】
2015207113.tif 000009
【図８】
2015207113.tif 000010
【図９】
2015207113.tif 000011